【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
無菌フィールド内で患者の少なくとも一部分を刺激するために無菌フィールドの外にある非無菌フィールド内に部分的に配置される刺激モニタリングシステムであって、
刺激電圧を発生させるように前記非無菌フィールド内に配置されるように構成される刺激システムと、
前記無菌フィールド内で前記患者の近くに配置されるように構成される刺激器具と、
前記刺激器具に導電的に接続され、前記無菌フィールド内で前記患者の近くに配置されるように構成される遠隔コントローラと、
前記刺激システムおよび前記遠隔コントローラに物理的に接続される導体と
を備え、
前記無菌フィールド内に配置されるように構成される前記遠隔コントローラが、前記非無菌フィールド内に配置されるように構成される前記刺激システムの少なくとも１つの動作を遠隔的に制御するための入力部を有し、
前記遠隔コントローラが、前記刺激器具に取り外し可能にかつ堅固に接続されて前記刺激器具によって担持される外部ハウジングを有し、
前記導体が、前記無菌フィールド内の前記遠隔コントローラから前記非無菌フィールド内の前記刺激システムまで延在する、刺激モニタリングシステム。
【請求項２】
前記入力部が少なくとも１つのスイッチを有し、
前記少なくとも１つのスイッチが、前記無菌フィールド内で使用者によって動作させられるように構成される、請求項１に記載の刺激モニタリングシステム。
【請求項３】
前記少なくとも１つのスイッチが、前記使用者により指を用いて押し下げられるように構成されるプッシュボタンスイッチを有する、請求項２に記載の刺激モニタリングシステム。
【請求項４】
前記遠隔コントローラが前記外部ハウジングを有し、
前記プッシュボタンスイッチが、前記指によって直接に係合されるように前記ハウジングから延在するように構成される第１の部分と、前記ハウジング内に配置される印刷回路基板に固定されるトグルスイッチを有する第２の部分とを有し、
前記トグルスイッチが、前記刺激システムに送られる信号を発生させるように構成され、
前記刺激システムが、前記刺激システムの少なくとも１つの動作を遠隔的に制御するために前記信号を受信するように構成されるプロセッサを有する、請求項３に記載の刺激モニタリングシステム。
【請求項５】
前記刺激システムが、前記刺激システムの少なくとも１つの動作を制御するために前記入力部から信号を受信するように構成されるプロセッサを有し、
前記刺激システムの前記少なくとも１つの動作が、刺激周期を変更すること、刺激電圧を変更すること、刺激を開始すること、刺激を止めること、スクリーンショットを捕捉すること、閾値を制御すること、またはメッセージボリュームを変更すること、のうちの少なくとも１つを含む、請求項１から４までのいずれか一項に記載の刺激モニタリングシステム。
【請求項６】
前記刺激器具が、使用者によって把持されるように構成される器具把持部分と、前記患者の種々の部分に接触するように構成される接触電極と、を有する電極鉗子器具であり、
前記遠隔コントローラが、前記刺激電極鉗子器具の前記器具把持部分に導電的に接続される、請求項１から５までのいずれか一項に記載の刺激モニタリングシステム。
【請求項７】
前記導体が、前記コントローラを前記刺激器具に接続する第１の部分と、前記無菌フィールドから前記非無菌フィールド内の前記刺激システムまで延在する第２の部分とを有する、請求項１から６までのいずれか一項に記載の刺激モニタリングシステム。
【請求項８】
前記遠隔コントローラが、前記刺激器具によって担持される前記外部ハウジング内にあるディスプレイを有し、
前記ディスプレイが、前記刺激システムのその時点の動作に関する情報、および／または前記使用者によって入力されることになるコマンドを示すように構成可能である、請求項１から７までのいずれか一項に記載の刺激モニタリングシステム。
【請求項９】
無菌フィールド内で刺激器具を用いて患者の少なくとも一部分を刺激するために前記無菌フィールドの外にある非無菌フィールド内に配置される刺激システムを有する刺激モニタリングシステムであって、
前記刺激器具に導電的に接続され、前記無菌フィールド内で前記患者の近くに配置されるように構成される遠隔コントローラと、
前記無菌フィールド内にいる使用者による作動時に前記刺激システムに遠隔信号を送信するための、前記遠隔コントローラと共に形成される入力部分と、
前記無菌フィールド内の前記遠隔コントローラと前記非無菌フィールド内の前記刺激システムとの間にあるように構成される接続通信部分と
を備え、
前記入力部分からの前記遠隔信号が前記刺激システムの少なくとも１つの動作を制御するためのものであり
前記遠隔コントローラが、前記刺激器具に取り外し可能にかつ堅固に接続されて前記刺激器具によって担持される外部ハウジングを有し、
導体が、前記無菌フィールド内の前記遠隔コントローラから前記非無菌フィールド内の前記刺激システムまで延在する、刺激モニタリングシステム。
【請求項１０】
前記刺激システムが、プロセッサを有し刺激電流を発生させるように構成される刺激ジェネレータを有し、
前記刺激器具が、前記無菌フィールド内で前記患者の近くに配置されるように構成される刺激伝導部分を有し、
前記コントローラが、前記刺激器具に堅固に接続される、請求項９に記載の刺激モニタリングシステム。
【請求項１１】
前記刺激システムが、プロセッサを有し刺激電流を発生させるように構成される刺激ジェネレータを有し、
前記刺激器具が、前記無菌フィールド内で前記患者の近くに配置されるように構成される刺激伝導部分を有し、
前記遠隔コントローラが、前記無菌フィールド内の前記刺激器具から一定の距離で前記導体に接続され、
前記導体が、前記遠隔コントローラから前記刺激器具まで、および前記遠隔コントローラから前記刺激システムまで、延在する、請求項９に記載の刺激モニタリングシステム。
【請求項１２】
前記入力部分が少なくとも１つのスイッチを有し、
前記少なくとも１つのスイッチが、前記無菌フィールド内で前記使用者によって動作させられるように構成される、請求項９から１１までのいずれか一項に記載の刺激モニタリングシステム。
【請求項１３】
前記コントローラが前記外部ハウジングを有し、
前記少なくとも１つのスイッチが、前記使用者の指によって直接に係合されるように前記ハウジングから延在するように構成される第１の部分と、前記ハウジング内に配置される印刷回路基板に固定されるトグルスイッチを有する第２の部分とを有するプッシュボタンスイッチを有し、
前記トグルスイッチが、前記刺激システムに送られる遠隔信号を発生させるように構成され、
前記刺激システムが、前記刺激システムの少なくとも１つの動作を制御するために前記信号を受信するように構成されるプロセッサを有する、請求項１２に記載の刺激モニタリングシステム。
【請求項１４】
前記刺激システムが、前記入力部分から前記信号を受信するように構成されるプロセッサを有し、
前記刺激システムの前記少なくとも１つの動作が、刺激周期を変更すること、刺激電圧を変更すること、刺激を開始すること、刺激を止めること、スクリーンショットを捕捉すること、閾値を調整すること、またはメッセージボリュームを変更すること、のうちの少なくとも１つを含む、請求項９から１３までのいずれか一項に記載の刺激モニタリングシステム。
【請求項１５】
前記接続通信部分が、前記無菌フィールド内の前記遠隔コントローラおよび前記非無菌フィールド内の前記刺激システムを物理的に接続する導体を有する、請求項９から１４までのいずれか一項に記載の刺激モニタリングシステム。
【請求項１６】
前記接続通信部分が、前記無菌フィールド内の前記コントローラおよび前記非無菌フィールド内の前記刺激システムを接続する無線システムを有する、請求項９から１４までのいずれか一項に記載の刺激モニタリングシステム。
【請求項１７】
刺激システムおよび刺激器具を有する刺激モニタリングシステムを制御する方法であって、
前記刺激器具を無菌フィールド内に配置するステップと、
前記刺激システムを、前記無菌フィールドの外にある非無菌フィールド内に配置するステップと、
遠隔コントローラを前記無菌フィールド内の前記刺激器具に物理的に接続するステップと、
前記遠隔コントローラを前記非無菌フィールド内にある前記刺激システムに物理的に接続するステップと、
前記無菌フィールド内で前記遠隔コントローラを用いて前記非無菌フィールド内の前記刺激システムの少なくとも１つの動作を遠隔的に制御するステップと
を含む、方法。
【請求項１８】
前記遠隔コントローラを前記無菌フィールド内の前記刺激器具に物理的に接続するステップが、前記遠隔コントローラの外部ハウジングを前記刺激器具に堅固に接続するステップであって、前記刺激器具が前記遠隔コントローラを担持する、ステップを含む、請求項１７に記載の方法。
【請求項１９】
前記遠隔コントローラを前記無菌フィールド内の前記刺激器具に物理的に接続するステップが、導体を用いて前記遠隔コントローラの前記外部ハウジングを前記刺激器具と相互接続するステップを含む、請求項１８に記載の方法。
【請求項２０】
前記無菌フィールド内で前記遠隔コントローラを用いて前記刺激システムの動作を制御するステップが、物理的導体を用いて前記無菌フィールド内の前記遠隔コントローラから前記非無菌フィールド内の前記刺激システムまで信号を送るために前記遠隔コントローラを動作させるステップを含む、請求項１７から１９までのいずれか一項に記載の方法。
【請求項２１】
前記刺激システムが、前記遠隔コントローラからの前記信号を受信するように構成されるプロセッサを有し、
前記刺激システムの少なくとも１つの動作を制御するステップが、スクリーンショットを捕捉するステップ、閾値を調整するステップ、またはメッセージボリュームを変更するステップ、のうちの少なくとも１つのステップを含む、請求項２０に記載の方法。
【請求項２２】
前記信号を発生させるために前記遠隔コントローラ上のスイッチを操作するステップをさらに含む、請求項２０または２１に記載の方法。